(57)【要約】【課題】本発明は、番組音声を出力していない子画面の番組映像におけるユーザ所望のシーンを見過ごさせることのないようにする。【解決手段】本発明は、親画面ＳＧ１及び子画面ＳＧ２を生成して表示し、親画面ＳＧ１に対応した親画面音声だけをスピーカ出力し、子画面に対応した子画面音声の音声レベルが示された子画面音声レベルバーマークＬＢＣＭを子画面と対応付けて表示することにより、子画面音声の音声レベルに合わせて子画面音声レベルバーマークＬＢＣＭが変化して表示されたとき、子画面ＳＧ２に対するユーザの注意を引き、親画面ＳＧ１から子画面ＳＧ２へ視線を導くことができるので、子画面ＳＧ２におけるユーザ所望のシーンを見過ごさせることなくユーザに目視確認させることができる。【選択図】図１
2010114775.tif 000002
【特許請求の範囲】
【請求項１】
少なくとも２画面以上でなる複数の画面を生成して表示手段に表示する多画面生成手段と、
上記複数の画面のうち第１画面に対応した第１音声だけをスピーカ出力する音声出力手段と、
上記複数の画面のうち第２画面に対応した第２音声の音声レベルが示されたレベル表示マークを上記第２画面と対応付けて上記表示手段に表示する音声レベル表示手段と
を具える情報処理装置。
【請求項２】
上記第１音声だけをスピーカ出力していることを示す所定形状の第１音声スピーカ出力マークを上記第１画面と対応付けて上記表示手段に表示する音声出力通知手段と
を具える請求項１に記載の情報処理装置。
【請求項３】
ユーザによる操作に応じて供給される切換命令に従って、上記第１画面に対応した上記第１音声だけをスピーカ出力している状態から、上記第２画面に対応した上記第２音声をスピーカ出力するように切り換える切換制御手段と
を具える請求項１に記載の情報処理装置。
【請求項４】
上記切換制御手段により上記第２画面に対応した上記第２音声をスピーカ出力するように切り換えたとき、
上記音声出力通知手段は、上記第１音声スピーカ出力マークを消去し、第２音声だけをスピーカ出力していることを示す所定形状の第２スピーカ出力マークを上記第２画面と対応付けて上記表示手段に表示する
請求項３に記載の情報処理装置。
【請求項５】
少なくとも２画面以上でなる複数の画面を多画面生成手段により生成して表示手段に表示する多画面表示ステップと、
上記複数の画面のうち第１画面に対応した第１音声だけを音声出力手段によりスピーカ出力する音声出力ステップと、
上記複数の画面のうち第２画面に対応した第２音声の音声レベルが示されたレベル表示マークを音声レベル表示手段により上記第２画面と対応付けて上記表示手段に表示する音声レベル表示ステップと
を有する音声レベル表示方法。
【請求項６】
上記音声出力ステップと、上記音声レベル表示ステップとは同時に行なわれる
請求項５に記載の音声レベル表示方法。
【請求項７】
少なくとも２チャンネル以上の複数の番組を出力可能な出力手段と、
上記複数の番組の何れか一つの番組を選択して表示手段に表示する選択手段と、
上記一の番組に対応した第１音声だけをスピーカ出力する音声出力手段と、
上記一の番組ではない他の番組に対応した第２音声の音声レベルが示されたレベル表示マークを上記表示手段に表示する音声レベル表示手段と
を具える情報処理装置。
【発明の詳細な説明】
【技術分野】
【０００１】
本発明は、情報処理装置及び音声レベル表示方法に関し、例えば地上波ディジタルテレビジョン放送受信可能なテレビジョン受像機に適用して好適なものである。
【背景技術】
【０００２】
従来、地上波ディジタルテレビジョン放送受信可能なテレビジョン受像機（以下、これを地上ディジタルテレビジョン受像機と呼ぶ）においては、アンテナを介して受信した地上ディジタルテレビジョン放送波から選局先の番組データを抽出してデコードすることによりトランスポートストリームを得る。
【０００３】
そして地上ディジタルテレビジョン受像機では、このトランスポートストリームに対してスクランブル解除処理及びフィルタリング処理等を施した後、番組映像、番組音声及び電子番組表に分離し、当該番組映像をＬＣＤ(Liquid Crystal Display)等のディスプレイに表示すると共に、番組音声をスピーカから出力するようになされている。
【０００４】
またテレビジョン受像機においては、２個のチューナを搭載しているタイプが存在し、同時に２チャンネルの番組をＬＣＤに２画面表示することにより、ユーザに対して２つの番組を視聴させ得るようになされたものがある（例えば、特許文献１参照）。
【特許文献１】特開2007-43441公報
【発明の開示】
【発明が解決しようとする課題】
【０００５】
ところで上述したテレビジョン受像機においては、２チャンネルの番組を親画面と子画面とを介してユーザに同時鑑賞させることは可能であるが、２チャンネルの番組音声を同時出力した場合には混ざり合ってしまい聴取困難になるので、何れか一方の番組音声だけを選択させて出力することが行なわれている。
【０００６】
このときテレビジョン受像機においては、番組音声を出力している親画面の番組映像にユーザが集中していると、子画面の番組映像をユーザが見ていない状況が発生し、このようなとき子画面の番組映像のうちユーザ所望のシーンを見過ごさせてしまうという問題があった。
【０００７】
本発明は以上の点を考慮してなされたもので、番組音声を出力していない子画面の番組映像におけるユーザ所望のシーンを見過ごさせることのない使い勝手に優れた情報処理装置及び音声レベル表示方法を提案しようとするものである。
【課題を解決するための手段】
【０００８】
かかる課題を解決するため本発明の情報処理装置においては、少なくとも２画面以上でなる複数の画面を生成して表示手段に表示する多画面生成手段と、複数の画面のうち第１画面に対応した第１音声だけをスピーカ出力する音声出力手段と、複数の画面のうち第２画面に対応した第２音声の音声レベルが示されたレベル表示マークを上記第２画面と対応付けて上記表示手段に表示する音声レベル表示手段とを設けるようにする。
【０００９】
これにより、第２画面に対応した第２音声の音声レベルが変化したとき、その変化したレベル表示マークを介して第２画面に対するユーザの注意を引き、当該第１画面から当該第２画面へ視線を導くことができるので、第１画面を主にユーザに目視確認させながら第２画面におけるユーザ所望のシーンについても見過ごさせることなくユーザに目視確認させることができる。
【００１０】
また本発明の音声レベル表示方法においては、少なくとも２画面以上でなる複数の画面を多画面生成手段により生成して表示手段に表示する多画面表示ステップと、複数の画面のうち第１画面に対応した第１音声だけを音声出力手段によりスピーカ出力する音声出力ステップと、複数の画面のうち第２画面に対応した第２音声の音声レベルが示されたレベル表示マークを音声レベル表示手段により第２画面と対応付けて表示手段に表示する音声レベル表示ステップとを有するようにする。
【００１１】
これにより、第２画面に対応した第２音声の音声レベルが変化したとき、その変化したレベル表示マークを介して第２画面に対するユーザの注意を引き、当該第１画面から当該第２画面へ視線を導くことができるので、第１画面を主にユーザに目視確認させながら第２画面におけるユーザ所望のシーンについても見過ごさせることなくユーザに目視確認させることができる。
【００１２】
さらに本発明の情報処理装置においては、少なくとも２チャンネル以上の複数の番組を出力可能な出力手段と、複数の番組の何れか一つの番組を選択して表示手段に表示する選択手段と、一の番組に対応した第１音声だけをスピーカ出力する音声出力手段と、一の番組ではない他の番組に対応した第２音声の音声レベルが示されたレベル表示マークを表示手段に表示する音声レベル表示手段とを設けるようにする。
【００１３】
これにより、表示手段に表示された一の番組の映像及び第１音声をユーザに視聴させながら、他の番組に対応した第２音声のレベル表示マークの変化を目視確認させることができるので、第２音声の音声レベルが変化したとき、その変化したレベル表示マークを介して他の番組へ切り換える切っ掛けをユーザに与えることができ、かくして一の番組を主にユーザに視聴させながら他の番組おけるユーザ所望のシーンについても見過ごさせることなくユーザに目視確認させることができる。
【発明の効果】
【００１４】
本発明によれば、第２画面に対応した第２音声の音声レベルが変化したとき、その変化したレベル表示マークを介して第２画面に対するユーザの注意を引き、当該第１画面から当該第２画面へ視線を導くことができるので、第１画面を主にユーザに目視確認させながら第２画面におけるユーザ所望のシーンについても見過ごさせることなくユーザに目視確認させることができ、かくして番組音声を出力していない子画面の番組映像におけるユーザ所望のシーンを見過ごさせることのない使い勝手に優れた情報処理装置及び音声レベル表示方法を実現することができる。
【００１５】
また本発明によれば、表示手段に表示された一の番組の映像及び第１音声をユーザに視聴させながら、他の番組に対応した第２音声のレベル表示マークの変化を目視確認させることができるので、第２音声の音声レベルが変化したとき、その変化したレベル表示マークを介して他の番組へ切り換える切っ掛けをユーザに与えることができ、かくして一の番組を主にユーザに視聴させながら他の番組おけるユーザ所望のシーンについても見過ごさせることなくユーザに目視確認させ得る情報処理装置を実現することができる。
【発明を実施するための最良の形態】
【００１６】
以下、発明を実施するための最良の形態（以下、実施の形態とする）について説明する。なお、説明は以下の順序で行う。
１．第１の実施の形態
２．他の実施の形態
【００１７】
＜１．第１の実施の形態＞
（１）［地上ディジタルテレビジョン受像機の構成］
図１において、１は全体として本発明の第１の実施の形態における地上ディジタルテレビジョン受像機を示し、ＣＰＵ(Central Processing Unit)構成のマイクロコンピュータ（以下、これをマイコンと呼ぶ。）１０が全体を統括制御するようになされている。
【００１８】
そして地上ディジタルテレビジョン受像機１のマイコン１０は、リモートコントローラ（図示せず）から受光部１１を介して受け取った種々の命令に基づき所定のテレビジョン表示処理等を実行するようになされている。
【００１９】
実際上、地上ディジタルテレビジョン受像機１では、アンテナ２を介して地上ディジタルテレビジョン放送の放送波Ｓ１を受信し、これを第１ディジタルチューナ３へ送出する。
【００２０】
第１ディジタルチューナ３は、アンテナ２を介して供給された放送波Ｓ１から親画面（後述する）に表示すべきチャンネル１の周波数の変調信号を選局し、その変調信号に対して復調処理や誤り訂正処理等の所定の信号処理を施すことによりトランスポートストリームＴＳ１を復元し、これをＡＶ(Audio Visual)デコーダ５へ送出する。
【００２１】
ＡＶデコーダ５は、トランスポートストリームＴＳ１に対してスクランブル状態を解除するためのデスクランブル処理を施し、ビデオストリーム及びオーディオストリームを分離して取り出した後、そのビデオストリーム及びオーディオストリームに対してそれぞれ復号処理を施すことによりビデオ信号ＶＤ１及びオーディオ信号ＡＤ１を得る。
【００２２】
そしてＡＶデコーダ５は、ビデオ信号ＶＤ１については多画面機能デバイス６へ送出し、オーディオ信号ＡＤ１についてはスイッチ１３を介してスピーカ１６へ出力し得るようになされており、これによりオーディオ信号ＡＤ１に対応した親画面の番組音声（以下、これを親画面音声と呼ぶ。）をスピーカ出力するようになされている。
【００２３】
また地上ディジタルテレビジョン受像機１では、アンテナ２を介して地上ディジタルテレビジョン放送の放送波Ｓ１を受信し、これを第２ディジタルチューナ４へも送出する。
【００２４】
第２ディジタルチューナ４は、アンテナ２を介して供給された放送波Ｓ１から子画面（後述する）に表示すべきチャンネル２の周波数の変調信号を選局し、その変調信号に対して復調処理や誤り訂正処理等の所定の信号処理を施すことによりトランスポートストリームＴＳ２を復元し、これをＡＶデコーダ５へ送出する。
【００２５】
ＡＶデコーダ５は、トランスポートストリームＴＳ２に対してスクランブル状態を解除するためのデスクランブル処理を施し、ビデオストリーム及びオーディオストリームを分離して取り出した後、そのビデオストリーム及びオーディオストリームに対してそれぞれ復号処理を施すことによりビデオ信号ＶＤ２及びオーディオ信号ＡＤ２を得る。
【００２６】
そしてＡＶデコーダ５は、ビデオ信号ＶＤ２については多画面機能デバイス６へ送出し、オーディオ信号ＡＤ２についてはスイッチ１２を介して音声レベル平均値検出部１４へ送出すると共にスイッチ１３を介してスピーカ１６へ出力し得るようになされており、これによりオーディオ信号ＡＤ２に対応した子画面の番組音声（以下、これを子画面音声と呼ぶ。）をスピーカ出力するようになされている。
【００２７】
因みにマイコン１０は、親画面音声をスピーカ出力させる場合、スイッチ１３のスイッチング端子を接点１３Ｂと接続させるように当該スイッチ１３を制御する。また、マイコン１０は、リモコン（図示せず）から受光部１１を介して受け取った命令に基づいて、子画面音声をスピーカ出力させる場合、スイッチ１３のスイッチング端子を接点１３Ａと接続させるように当該スイッチ１３を制御するようになされている。
【００２８】
ここでマイコン１０は、親画面音声をスピーカ出力させ、子画面音声をスピーカ出力しないようにスイッチ１３を制御しているとき、スイッチ１２のスイッチング端子を接点１２Ａと接続させることにより、子画面音声に相当するオーディオ信号ＡＤ２を音声レベル平均値検出部１４へ送出するようになされている。
【００２９】
逆にマイコン１０は、親画面音声をスピーカ出力させることを停止し、子画面音声をスピーカ出力するようにスイッチ１３を制御しているとき、スイッチ１２のスイッチング端子を接点１２Ｂと接続させることにより、親画面音声に相当するオーディオ信号ＡＤ１を音声レベル平均値検出部１４へ送出するようになされている。
【００３０】
多画面機能デバイス６は、ビデオ信号ＶＤ１に対応した親画面の番組映像（以下、これを親画面映像と呼ぶ。）及びビデオ信号ＶＤ２に対応した子画面の番組映像（以下、これを子画面映像と呼ぶ。）を表示すべく同じ形状及び同じサイズでなる親画面と子画面を生成し、これらを１つの画面にまとめた多画面ビデオ信号ＭＤＳを生成し、これをミキサ７へ送出する。
【００３１】
音声レベル平均値検出部１４は、子画面映像に対応した子画面音声に相当するオーディオ信号ＡＤ２の子画面音声レベル平均値ＡＡＣを検出するようになされている。
【００３２】
実際上、音声レベル平均値検出部１４では、当該オーディオ信号ＡＤ２を積分し、その結果得られるエネルギーを単位時間で平均することにより平均値の波形を検出し、これを子画面音声レベル平均値ＡＡＣとしてマイコン１０へ送出する。
【００３３】
マイコン１０は、音声レベル平均値検出部１４から受け取った子画面音声レベル平均値ＡＡＣに基づいて、子画面音声の音声レベルを表す子画面音声レベルバーデータＬＢＣを生成し、これをＯＳＤ(On Screen Display)生成部１５へ送出する。
【００３４】
このとき同時にマイコン１０は、親画面音声をスピーカ出力していることを示す所定形状（例えば音符マーク）でなる親画面音声スピーカ出力マークデータ（後述する）ＳＯＴ１を生成し、これをＯＳＤ生成部１５へ送出する。
【００３５】
ＯＳＤ生成部１５では、子画面音声レベルバーデータＬＢＣに基づいて子画面用の子画面音声レベルバーマークＬＢＣＭを生成すると共に、親画面音声スピーカ出力マークデータＳＯＴ１に基づいて親画面音声スピーカ出力マークＳＰＡを生成し、これらをミキサ７へ送出する。
【００３６】
ミキサ７は、多画面ビデオ信号ＭＤＳと、子画面用の子画面音声レベルバーマークＬＢＣＭ及び親画面音声スピーカ出力マークＳＰＡとを合成する。
【００３７】
これによりミキサ７は、親画面及び子画面を含む多画面番組映像に対して当該子画面音声レベルバーマークＬＢＣＭ及び親画面音声スピーカ出力マークＳＰＡが重ねられた重畳映像信号ＳＺ１を生成し、これを表示ドライバ８を介してＬＣＤ９へ出力することにより映像出力するようになされている。
【００３８】
なおマイコン１０は、音声レベル平均値検出部１４から受け取った子画面音声レベル平均値ＡＡＣが変化する度に、それを反映させた子画面音声レベルバーデータＬＢＣを生成し、これをＯＳＤ生成部１５へ送出することにより、子画面音声レベルバーマークＬＢＣＭのバー長さを随時変化させて表示するようになされている。
【００３９】
ところでマイコン１０は、スイッチ１３を介して親画面音声をスピーカ出力させることを停止し、子画面音声をスピーカ出力させるように切り替えたとき、スイッチ１２のスイッチング端子を接点１２Ｂと接続させるように当該スイッチ１２を制御し、親画面音声に相当するオーディオ信号ＡＤ１を音声レベル平均値検出部１４へ送出する。
【００４０】
この場合、音声レベル平均値検出部１４は、親画面音声に相当するオーディオ信号ＡＤ１の親画面音声レベル平均値ＡＡＰを検出し、これをマイコン１０へ送出する。
【００４１】
マイコン１０は、音声レベル平均値検出部１４から受け取った親画面音声レベル平均値ＡＡＰに基づいて、オーディオ信号ＡＤ１に対応した親画面音声の音声レベルを表す親画面音声レベルバーデータＬＢＰを生成し、これをＯＳＤ生成部１５へ送出する。
【００４２】
このとき同時にマイコン１０は、子画面音声をスピーカ出力していることを示す所定形状（例えば音符マーク）でなる子画面音声スピーカ出力マークデータ（後述する）ＳＯＴ２を生成し、これをＯＳＤ生成部１５へ送出する。
【００４３】
ＯＳＤ生成部１５では、親画面音声レベルバーデータＬＢＰに基づいて親画面用の音声レベルバーマークＬＢＰＭを生成すると共に、子画面音声スピーカ出力マークデータＳＯＴ２に基づいて子画面音声スピーカ出力マークＳＣＡを生成し、これらをミキサ７へ送出する。
【００４４】
ミキサ７は、多画面ビデオ信号ＭＤＳと、親画面音声レベルバーマークＬＢＰＭ及び子画面音声スピーカ出力マークＳＣＡとを合成する。
【００４５】
これによりミキサ７は、親画面及び子画面からなる多画面番組映像に対して当該親画面音声レベルバーマークＬＢＰＭ及び子画面音声スピーカ出力マークＳＣＡが重ねられた重畳映像信号ＳＺ２を生成し、これを表示ドライバ８を介してＬＣＤ(Liquid Crystal Display)９へ出力することにより映像出力するようになされている。
【００４６】
なおマイコン１０は、音声レベル平均値検出部１４から受け取った子画面音声レベル平均値ＡＡＣ又は親画面音声レベル平均値ＡＡＰが変化する度に、それを反映させた子画面音声レベルバーデータＬＢＣ又は親画面音声レベルバーデータＬＢＰを生成し、これをＯＳＤ生成部１５へ送出することにより、子画面音声レベルバーマークＬＢＣＭ又は親画面音声レベルマークＬＢＰＭのバー長さを随時変化させて表示するようになされている。
【００４７】
（２）［音声出力切換処理手順］
次に、地上ディジタルテレビジョン受像機１による音声出力切換処理手順について、図２のフローチャートを用いて説明する。
【００４８】
この場合、地上ディジタルテレビジョン受像機１において、親画面音声をスピーカ出力しているときに、ユーザからの命令により子画面音声をスピーカ出力するように切り換えるまでの音声出力切換処理について説明する。
【００４９】
地上ディジタルテレビジョン受像機１のマイコン１０は、アプリケーションプログラムに従ってルーチンＲＴ１の開始ステップから入って次のステップＳＰ１へ移る。
【００５０】
ステップＳＰ１においてマイコン１０は、重畳映像信号ＳＺ１に基づいて、図３に示すように、親画面ＳＧ１と子画面ＳＧ２とを含む多画面画像ＭＧをＬＣＤ９に表示することにより２画面表示状態を形成し、次のステップＳＰ２へ移る。
【００５１】
ステップＳＰ２においてマイコン１０は、多画面画像ＭＧの親画面ＳＧ１に「映画」番組を表示しながら、当該親画面ＳＧ１の左上端部に親画面音声スピーカ出力マークＳＰＡをＯＳＤ表示すると共に、子画面ＳＧ２に「スポーツ」番組を表示しながら、当該子画面ＳＧ２の左下端部に音符の絵でなる子画面音声レベルバーマークＬＢＣＭをＯＳＤ表示し、次のステップＳＰ３へ移る。
【００５２】
これによりマイコン１０は、親画面ＳＧ１に表示している「映画」番組の番組音声をスピーカ出力していることをユーザに対して視覚的に認識させ得るようになされている。同時にマイコン１０は、子画面ＳＧ２に表示している「スポーツ」番組の番組音声については、子画面音声レベルバーマークＬＢＭの長さによって現在の音声レベルがどの程度なのか（大きいのか、小さいのか等）をユーザに対して直感的に認識させ得るようになされている。
【００５３】
ステップＳＰ３においてマイコン１０は、音声レベル平均値検出部１４から与えられる子画面音声レベル平均値ＡＡＣを監視しており、子画面ＳＧ２の番組音声に対応した当該子画面音声レベル平均値ＡＡＣに変化があったか否かを判定する。
【００５４】
ここで否定結果が得られると、このことは子画面ＳＧ２の番組音声に対応した当該子画面音声レベル平均値ＡＡＣに変化がなく、子画面音声レベルバーマークＬＢＣＭの長さを変更する必要がないことを表しており、このときマイコン１０はステップＳＰ２へ戻る。
【００５５】
これに対してステップＳＰ３で肯定結果が得られると、このことは子画面ＳＧ２の番組音声に対応した当該子画面音声レベル平均値ＡＡＣに変化があったこと、すなわち子画面音声レベルバーマークＬＢＣＭの長さを変更する必要があることを表しており、このときマイコン１０は次のステップＳＰ４へ移る。
【００５６】
ステップＳＰ４においてマイコン１０は、図４に示すように、子画面音声レベル平均値ＡＡＣの変化に合わせて子画面音声レベルバーマークＬＢＣＭの長さが変更する様を表示し、次のステップＳＰ５へ移る。
【００５７】
これにより地上ディジタルテレビジョン受像機１では、親画面ＳＧ１の「映画」番組に意識を集中しているユーザに対しても、子画面音声レベルバーマークＬＢＣＭの長さが変化したことを気付かせることができ、ユーザの意識や注意を子画面ＳＧ２の「スポーツ」番組に向けさせることができる。
【００５８】
例えば、野球中継の番組映像であれば、選手がホームランを打ったときに歓声が大きくなって、子画面音声レベル平均値ＡＡＣが変化したとき、それに合わせて子画面音声レベルバーマークＬＢＣＭが長くなることになる。
【００５９】
ステップＳＰ５においてマイコン１０は、子画面音声レベルバーマークＬＢＣＭの変化に気付いたユーザが子画面ＳＧ２の「スポーツ」番組の番組映像を目視確認し、その子画面音声を聴取したいと考えることが予測され、このときリモコン（図示せず）から受光部１１を介して音声出力変更命令が与えられたか否かを判定する。
【００６０】
ここで否定結果が得られると、このことは子画面音声レベルバーマークＬＢＣＭの変化に気付いたユーザが子画面の「スポーツ」番組の番組映像を目視確認したものの、その子画面音声を積極的に聴取したいとまでは考えなかったことを表しており、このときマイコン１０はステップＳＰ２に戻って以降の処理を繰り返す。
【００６１】
これに対してステップＳＰ５で肯定結果が得られると、このことはリモコン（図示せず）から受光部１１を介して音声出力変更命令が与えられたことを表しており、このときマイコン１０は次のステップＳＰ６へ移る。
【００６２】
ステップＳＰ６においてマイコン１０は、スイッチ１３を介して現在スピーカ出力中の親画面音声を停止すると共に、子画面音声をスピーカ出力するように切り換え、次のステップＳＰ７へ移る。なおマイコン１０は、このとき同時に、スイッチ１２を介して、スピーカ出力を停止すべき親画面音声に相当するオーディオ信号ＡＤ１を音声レベル平均値検出部１４へ送出するように切り換える。
【００６３】
ステップＳＰ７においてマイコン１０は、図５に示すように、子画面音声をスピーカ出力中の子画面ＳＧ２の左上端部に音符の絵でなる子画面音声スピーカ出力マークＳＣＡを表示すると共に、親画面ＳＧ１の左下端部に音符の絵でなる親画面音声レベルバーマークＬＢＰＭを表示した後、次のステップＳＰ８へ移って処理を終了する。
【００６４】
（３）［動作及び効果］
以上の構成において、地上ディジタルテレビジョン受像機１では、多画面画像ＭＧにおける親画面ＳＧ１の親画面音声をスピーカ出力していることを、ユーザに対して当該親画面音声を実際に聴取させることによって認識させると共に、親画面音声スピーカ出力マークＳＰＡによって視覚的にも通知する。
【００６５】
同時に地上ディジタルテレビジョン受像機１では、多画面画像ＭＧにおける子画面ＳＧ２の子画面音声についてはスピーカ出力していないので実際に聴取させることはないものの、ユーザに対して子画面音声レベルバーマークＬＢＣＭにより子画面音声の音声レベルがどのように変化しているかを視覚的かつリアルタイムに通知することができる。
【００６６】
従って地上ディジタルテレビジョン受像機１では、親画面ＳＧ１の親画面映像に集中しているユーザに対しても、子画面音声レベルバーマークＬＢＣＭがユーザの視界に入っているため、当該子画面音声レベルバーマークＬＢＣＭが大きく変化したときは、必ずそのことを気付かせることができる。
【００６７】
そうすると地上ディジタルテレビジョン受像機１では、子画面音声レベルバーマークＬＢＣＭと対応付けられている子画面ＳＧ２の子画面映像にユーザの視線を導くことが出来るので、特に音声レベルが大きく変化したようなユーザ所望の注目シーンが表示されている可能性が高いときにユーザの意識を子画面ＳＧ２に向けさせることができる。
【００６８】
従って地上ディジタルテレビジョン受像機１では、親画面ＳＧ１の親画面映像も意識が集中しているユーザに対しても、子画面音声レベルバーマークＬＢＣＭが変化したときのタイミングで子画面ＳＧ２の子画面映像に意識を向けさせることが出来るので、常時意識していない子画面映像のうちユーザ所望のシーンを見過ごさせることを防止することができる。
【００６９】
以上の構成によれば、地上ディジタルテレビジョン受像機１では、子画面音声がスピーカ出力されていないにも拘わらず、子画面ＳＧ２に表示されている子画面映像のうちユーザ所望のシーンを見過ごさせることなく視聴させることができる。
【００７０】
＜２．他の実施の形態＞
なお上述の実施の形態においては、地上ディジタルテレビジョン受像機１のマイコン１０が、多画面画像ＭＧにより親画面ＳＧ１及び子画面ＳＧ２を含む２画面表示を行うようにした場合について述べたが、本発明はこれに限らず、３画面表示、４画面表示等のその他種々の画面数でなる複数画面表示を行うようにしても良い。
【００７１】
また上述の実施の形態においては、地上ディジタルテレビジョン受像機１のマイコン１０が、親画面音声スピーカ出力マークＳＰＡを親画面ＳＧ１の左上端部にＯＳＤ表示し（図３及び図４）、子画面音声スピーカ出力マークＳＣＡを子画面ＳＧ２の左上端部にＯＳＤ表示する（図５）ようにした場合について述べた。
【００７２】
しかしながら、本発明はこれに限らず、地上ディジタルテレビジョン受像機１のマイコン１０は、親画面音声スピーカ出力マークＳＰＡと親画面ＳＧ１とを対応付けた状態で表示し、子画面音声スピーカ出力マークＳＣＡと子画面ＳＧ２とを対応付けた状態で表示するのであれば、その他の場所に親画面音声スピーカ出力マークＳＰＡ及び子画面音声スピーカ出力マークＳＣＡを表示するようにしても良い。
【００７３】
さらに上述の実施の形態においては、地上ディジタルテレビジョン受像機１のマイコン１０が、子画面音声レベルバーマークＬＢＣＭを子画面ＳＧ２の左下端部にＯＳＤ表示し（図３及び図４）、親画面音声レベルバーマークＬＢＰＭを親画面ＳＧ１の左下端部にＯＳＤ表示する（図５）ようにした場合について述べた。
【００７４】
しかしながら、本発明はこれに限らず、地上ディジタルテレビジョン受像機１のマイコン１０は、子画面音声レベルバーマークＬＢＣＭと子画面ＳＧ２とを対応付けた状態で表示し、親画面音声レベルバーマークＬＢＰＭと親画面ＳＧ１とを対応付けた状態で表示するのであれば、その他の場所に子画面音声レベルバーマークＬＢＣＭ及び親画面音声レベルバーマークＬＢＰＭ表示するようにしても良い。
【００７５】
さらに上述の実施の形態においては、地上ディジタルテレビジョン受像機１のマイコン１０が、レベル表示マークとして、バー構造でなる子画面音声レベルバーマークＬＢＣＭ及び親画面音声レベルバーマークＬＢＰＭをＯＳＤ表示するようにした場合について述べた。
【００７６】
しかしながら、本発明はこれに限らず、地上ディジタルテレビジョン受像機１のマイコン１０は、図６に示すように円構造でなる子画面音声レベルバーマークＬＢＣＭ２及び親画面音声レベルバーマークＬＢＰＭ２や、色の濃淡によって音声レベルの変化を示す表示マーク等、その他種々の表示形態でなる子画面音声レベルバーマークＬＢＣＭ及び親画面音声レベルバーマークＬＢＰＭをＯＳＤ表示するようにしても良い。
【００７７】
さらに上述の実施の形態においては、子画面音声レベルバーマークＬＢＣＭ２の変化を目視確認したユーザによりリモコンが操作され、マイコン１０が受光部１１を介して音声出力先変更命令を受け取ったとき親画面音声から子画面音声にスピーカ出力を切り換えるようにした場合について述べた。
【００７８】
しかしながら、本発明はこれに限らず、子画面音声レベルバーマークＬＢＣＭ２のバー表示で表される子画面音声レベル平均値ＡＡＣが予め決められた閾値を超えたとき、強制的に親画面音声から子画面音声にスピーカ出力を切り換えるようにしても良い。
【００７９】
さらに上述の実施の形態においては、子画面音声レベルバーマークＬＢＣＭ２の変化を目視確認したユーザによりリモコンが操作され、マイコン１０が受光部１１を介して音声出力先変更命令を受け取ったとき親画面音声から子画面音声にスピーカ出力を切り換えるようにした場合について述べた。
【００８０】
しかしながら、本発明はこれに限らず、子画面音声レベルバーマークＬＢＣＭ２のバー表示で表される現在の子画面音声レベル平均値ＡＡＣと直前の値とを比較して、その変化量が所定の割合に達していたとき、強制的に親画面音声から子画面音声にスピーカ出力を切り換えるようにしても良い。
【００８１】
さらに上述の実施の形態においては、ステップＳＰ６において現在スピーカ出力中の親画面音声を停止すると共に、子画面音声をスピーカ出力するように切り換えた後、ステップＳＰ７において子画面ＳＧ２の左上端部に音符の絵でなる子画面音声スピーカ出力マークＳＣＡを表示すると共に、親画面ＳＧ１の左下端部に音符の絵でなる親画面音声レベルバーマークＬＢＰＭを表示するようにした場合について述べた。
【００８２】
しかしながら、本発明はこれに限らず、マイコン１０ではステップＳＰ６とステップＳＰ７とを同時に実行するようにしても良い。
【００８３】
さらに上述の実施の形態においては、地上ディジタルテレビジョン受像機１のマイコン１０が、予めインストールされたアプリケーションプログラムに従ってルーチンＲＴ１の音声出力切替処理手順を実行するようにした場合について述べた。
【００８４】
しかしながら、本発明はこれに限らず、所定の記録媒体からインストールしたアプリケーションプログラムや、インターネットからダウンロードしたアプリケーションプログラム、その他種々のルートによってインストールしたアプリケーションプログラムに従って上述したルーチンＲＴ１の音声出力切換処理手順を実行するようにしても良い。
【００８５】
さらに上述の実施の形態においては、地上ディジタルテレビジョン受像機１のマイコン１０が、多画面画像ＭＧにより親画面ＳＧ１及び子画面ＳＧ２を含む２画面表示を行うようにした場合について述べたが、本発明はこれに限らず、１画面表示を行うようにしても良い。
【００８６】
この場合、地上ディジタルテレビジョン受像機１のマイコン１０（図１）は、多画面機能デバイス６を介してＡＶデコーダ５から出力されるビデオ信号ＶＤ１、オーディオ信号ＡＤ１又はビデオ信号ＶＤ２、オーディオ信号ＡＤ２の何れか一方（例えばビデオ信号ＶＤ１、オーディオ信号ＡＤ１）を選択させ、ミキサ７へ出力する。
【００８７】
同時にマイコン１０は、選択していない方の例えばオーディオ信号ＡＤ２に対応した裏画面音声レベルバーマークＬＢＢをＯＳＤ生成部１５によって生成させ、これをミキサ７へ出力する。
【００８８】
ミキサ７は、ビデオ信号ＶＤ１と、裏画面音声レベルバーマークＬＢＢとを合成することにより、図７に示すように、主画面ＳＧ３の番組映像（映画）に対して裏画面音声レベルバーマークＬＢＢが重ねられた重畳映像信号を生成し、これを表示ドライバ８及びＬＣＤ９へ出力することによりシングル画面画像ＳＧを映像出力するようになされている。
【００８９】
このときマイコン１０は、ビデオ信号ＶＤ１に対応したオーディオ信号ＡＤ１だけをスピーカ１６へ出力し、オーディオ信号ＡＤ２についてはスピーカ１６へ出力することはないが、シングル画面画像ＳＧの裏画面音声レベルバーマークＬＢＢにより裏番組における音声レベルの変化をユーザに対して認識させ得るようになされている。
【００９０】
これによりユーザは、主画面ＳＧ３の番組映像を視聴しながらも、裏番組の音声レベルを示す裏画面音声レベルバーマークＬＢＢの変化に気付いたとき、主画面ＳＧ３の番組映像を裏番組の番組映像に切り換えることができ、大事なシーンを見逃さずに済むことになる。
【００９１】
さらに上述の実施の形態においては、多画面生成手段としての多画面機能デバイス６、音声出力手段としてのスイッチ１３及びマイコン１０、音声レベル表示手段としてのマイコン１０、ＯＳＤ生成部１５によって本発明の情報処理装置としての地上ディジタルテレビジョン放送受像機１を構成するようにした場合について述べた。
【００９２】
しかしながら、本発明はこれに限らず、その他種々の構成でなる多画面生成手段、音声出力手段及び音声レベル表示手段によって本発明の情報処理装置を構成するようにしても良い。
【００９３】
さらに上述の実施の形態においては、出力手段としての第１ディジタルチューナ３、第２ディジタルチューナ２、ＡＶデコーダ５及び多画面機能デバイス６、選択手段としてのマイコン１０、音声出力手段としてのスイッチ１３及びマイコン１０、音声レベル表示手段としてのマイコン１０、ＯＳＤ生成部１５によって本発明の情報処理装置としての地上ディジタルテレビジョン放送受像機１を構成するようにした場合について述べた。
【００９４】
しかしながら、本発明はこれに限らず、その他種々の構成でなる出力手段、選択手段、音声出力手段及び音声レベル表示手段によって本発明の情報処理装置を構成するようにしても良い。
【産業上の利用可能性】
【００９５】
本発明の情報処理装置及び番組切換方法は、例えば地上波ディジタルテレビジョン放送受信可能なテレビジョン受像機以外にも、地上波ディジタルテレビジョン放送受信可能なチューナ機能が搭載され、多画面表示可能なパーソナルコンピュータ、カーナビゲーションシステム及び携帯電話機及びＰＤＡ(Personal Digital Assistant)等に適用することができる。
【図面の簡単な説明】
【００９６】
【図１】地上ディジタルテレビジョン受像機の構成を示す略線的ブロック図である。
【図２】音声出力切換処理手順を示すフローチャートである。
【図３】２画面表示状態の多画面画像（１）を示す略線図である。
【図４】２画面表示状態の多画面画像（２）を示す略線図である。
【図５】２画面表示状態の多画面画像（３）を示す略線図である。
【図６】他の実施の形態における子（親）画面音声レベルバーマークの構成を示す略線図である。
【図７】他の実施の形態における画面構成を示す略線図である。
【符号の説明】
【００９７】
１……地上ディジタルテレビジョン受像機、２……アンテナ、３……第１ディジタルチューナ、４……第２ディジタルチューナ、５……ＡＶデコーダ、６……多画面機能デバイス、７……ミキサ、８……表示ドライバ、９……ＬＣＤ、１０……マイコン、１１……受光部、１２、１３……スイッチ、１４……音声レベル平均値検出部、１５……ＯＳＤ生成部、１６……スピーカ。
【図１】
2010114775.tif 000003
【図２】
2010114775.tif 000004
【図３】
2010114775.tif 000005
【図４】
2010114775.tif 000006
【図５】
2010114775.tif 000007
【図６】
2010114775.tif 000008
【図７】
2010114775.tif 000009